(57)【要約】  包装硬貨投出装置（１０）は、筐体（２０）に対して着脱自在となっており、複数の包装硬貨を一列に収納するための包装硬貨収納カセット（２５）を備えている。包装硬貨収納カセット（２５）は複数設けられている。また、各包装硬貨収納カセット（２５）の先端部分に沿って移動自在となっている投出ユニット（２２）が設けられており、この投出ユニット（２２）は、各包装硬貨収納カセット（２５）内における先端部分にある包装硬貨の投出を行う投出部材（５０）を有している。さらに、各包装硬貨収納カセット（２５）と投出ユニット（２２）の投出部材（５０）との間の間隔を調整するための調整部が設けられている。
2010035332.tif 000002
【特許請求の範囲】
【請求項１】
包装硬貨の投出を行う包装硬貨投出装置であって、
筐体と、
前記筐体に対して着脱自在となっており、複数の包装硬貨を一列に収納するための包装硬貨収納カセットであって、前記包装硬貨収納カセットは複数設けられており、各々の包装硬貨収納カセットは前記筐体の内部に装着されたときに包装硬貨の投出方向に向かって斜め下方に傾斜する傾斜状態となるような包装硬貨収納カセットと、
前記筐体の内部において前記各包装硬貨収納カセットの先端部分に沿って移動自在となっている投出ユニットであって、前記各包装硬貨収納カセット内における先端部分にある包装硬貨の投出を行う投出部材を有する投出ユニットと、
前記各包装硬貨収納カセットと前記投出ユニットの前記投出部材との間の間隔を調整するための調整部と、
を備えたことを特徴とする包装硬貨投出装置。
【請求項２】
前記投出部材は、軸を中心として回転することにより前記各包装硬貨収納カセット内における先端部分にある包装硬貨の投出を行うようになっており、
前記調整部は、前記各包装硬貨収納カセットの先端部分と前記投出ユニットの前記投出部材の軸との間の間隔を調整するようになっていることを特徴とする請求項１記載の包装硬貨投出装置。
【請求項３】
前記投出ユニットは、前記投出部材により前記各包装硬貨収納カセットから投出された包装硬貨を受け入れる包装硬貨受入部を有することを特徴とする請求項１記載の包装硬貨投出装置。
【請求項４】
前記調整部は、前記各包装硬貨収納カセットに金種別に設けられたストッパであることを特徴とする請求項１記載の包装硬貨投出装置。
【請求項５】
前記各ストッパは、対応する前記包装硬貨収納カセットに収納されるべき包装硬貨の金種によってその大きさが異なるようになっていることを特徴とする請求項４記載の包装硬貨投出装置。
【請求項６】
前記筐体には、前記包装硬貨収納カセットが載置される載置台と、前記載置台に載置された前記包装硬貨収納カセットの先端部分の位置決めを行う位置決め部材とを有する包装硬貨収納カセット支持部が各々の包装硬貨収納カセットに対応して複数設けられており、
前記各包装硬貨収納カセットには調整穴が設けられており、
前記調整部は、前記各包装硬貨収納カセットの前記調整穴に取り付けられるとともに前記各包装硬貨収納カセット支持部の前記位置決め部材に当接するストッパであり、
前記調整穴に対する前記ストッパの取り付け位置を調整することにより、前記各包装硬貨収納カセットと前記投出ユニットの前記投出部材との間の間隔を調整するようになっていることを特徴とする請求項１記載の包装硬貨投出装置。
【請求項７】
前記調整穴は、前記包装硬貨収納カセットにおける包装硬貨の投出方向に沿って延びる長穴であることを特徴とする請求項６記載の包装硬貨投出装置。
【請求項８】
前記調整穴は、前記包装硬貨収納カセットにおける包装硬貨の投出方向に沿って複数設けられていることを特徴とする請求項６記載の包装硬貨投出装置。
【請求項９】
前記筐体には、前記包装硬貨収納カセットが載置される載置台と、前記載置台に載置された前記包装硬貨収納カセットの先端部分の位置決めを行う位置決め部材とを有する包装硬貨収納カセット支持部が各々の包装硬貨収納カセットに対応して複数設けられるとともに、前記各包装硬貨収納カセット支持部を移動させる包装硬貨収納カセット支持部位置調整部が設けられており、
前記包装硬貨収納カセット支持部位置調整部は、前記各包装硬貨収納カセットに収納されるべき包装硬貨の金種に基づいて前記各包装硬貨収納カセット支持部の位置を調整することにより、前記各包装硬貨収納カセットと前記投出ユニットの前記投出部材との間の間隔を調整するようになっていることを特徴とする請求項１記載の包装硬貨投出装置。
【請求項１０】
前記投出ユニットには、当該投出ユニットの本体部分に対して前記投出部材を移動させる投出部材位置調整部が設けられており、
前記投出部材位置調整部は、前記各包装硬貨収納カセットに収納されるべき包装硬貨の金種に基づいて前記本体部分に対する前記投出部材の位置を前記包装硬貨収納カセット毎に調整することにより、前記各包装硬貨収納カセットと前記投出ユニットの前記投出部材との間の間隔を調整するようになっていることを特徴とする請求項１記載の包装硬貨投出装置。
【請求項１１】
前記包装硬貨投出装置には上位装置が通信接続されており、前記包装硬貨収納カセット支持部位置調整部は、前記上位装置から送られた、前記各包装硬貨収納カセットに収納されるべき包装硬貨の金種の情報に基づいて、前記各包装硬貨収納カセット支持部の位置を調整することを特徴とする請求項９記載の包装硬貨投出装置。
【請求項１２】
前記包装硬貨投出装置には上位装置が通信接続されており、前記投出部材位置調整部は、前記上位装置から送られた、前記各包装硬貨収納カセットに収納されるべき包装硬貨の金種の情報に基づいて、前記投出ユニットの本体部分に対する前記投出部材の位置を前記包装硬貨収納カセット毎に調整することを特徴とする請求項１０記載の包装硬貨投出装置。
【請求項１３】
前記包装硬貨投出装置には外部から情報を入力するための操作部が設けられており、前記包装硬貨収納カセット支持部位置調整部は、前記操作部により外部から入力された、前記各包装硬貨収納カセットに収納されるべき包装硬貨の金種の情報に基づいて、前記各包装硬貨収納カセット支持部の位置を調整することを特徴とする請求項９記載の包装硬貨投出装置。
【請求項１４】
前記包装硬貨投出装置には外部から情報を入力するための操作部が設けられており、前記投出部材位置調整部は、前記操作部により外部から入力された、前記各包装硬貨収納カセットに収納されるべき包装硬貨の金種の情報に基づいて、前記投出ユニットの本体部分に対する前記投出部材の位置を前記包装硬貨収納カセット毎に調整することを特徴とする請求項１０記載の包装硬貨投出装置。
【請求項１５】
前記各包装硬貨収納カセットは、複数の包装硬貨を一列に収納する包装硬貨収納領域を内部に有しており、前記包装硬貨収納領域は、前記包装硬貨収納カセットに収納されるべき包装硬貨の金種に基づいてその大きさが調整可能になっていることを特徴とする請求項１記載の包装硬貨投出装置。
【請求項１６】
前記各包装硬貨収納カセットには、前記包装硬貨収納領域の幅の大きさを規制する左右一対の幅規制板が設けられており、前記左右一対の幅規制板は、前記包装硬貨収納領域の幅方向に沿ってその位置を調整することができるようになっていることを特徴とする請求項１５記載の包装硬貨投出装置。
【請求項１７】
前記各包装硬貨収納カセットには、前記包装硬貨収納領域の高さを規制する高さ規制板が設けられており、前記高さ規制板は、前記包装硬貨収納領域の高さ方向に沿ってその位置を調整することができるようになっていることを特徴とする請求項１５記載の包装硬貨投出装置。
【請求項１８】
包装硬貨の投出を行う包装硬貨投出装置であって、
筐体と、
前記筐体に対して着脱自在となっており、複数の包装硬貨を一列に収納するための包装硬貨収納カセットであって、前記包装硬貨収納カセットは複数設けられており、各々の包装硬貨収納カセットは前記筐体の内部に装着されたときに包装硬貨の投出方向に向かって斜め下方に傾斜する傾斜状態となるような包装硬貨収納カセットと、
前記筐体の内部において前記各包装硬貨収納カセットの先端部分に沿って移動自在となっている投出ユニットであって、前記各包装硬貨収納カセット内における先端部分にある包装硬貨の投出を行う投出部材を有する投出ユニットと、
を備え、
前記各包装硬貨収納カセットは、複数の包装硬貨を一列に収納する包装硬貨収納領域を内部に有しており、前記包装硬貨収納領域は、前記包装硬貨収納カセットに収納されるべき包装硬貨の金種に基づいてその大きさが調整可能になっていることを特徴とする包装硬貨投出装置。
【請求項１９】
前記各包装硬貨収納カセットには、前記包装硬貨収納領域の幅の大きさを規制する左右一対の幅規制板が設けられており、前記左右一対の幅規制板は、前記包装硬貨収納領域の幅方向に沿ってその位置を調整することができるようになっていることを特徴とする請求項１８記載の包装硬貨投出装置。
【請求項２０】
前記各包装硬貨収納カセットには、前記包装硬貨収納領域の高さを規制する高さ規制板が設けられており、前記高さ規制板は、前記包装硬貨収納領域の高さ方向に沿ってその位置を調整することができるようになっていることを特徴とする請求項１８記載の包装硬貨投出装置。
【発明の詳細な説明】
【技術分野】
【０００１】
本発明は、同一金種の硬貨を所定枚数ずつ棒状に包装した包装硬貨を収納するとともにこの収納された包装硬貨の投出を行う包装硬貨投出装置に関する。
【背景技術】
【０００２】
従来から、同一金種の硬貨を所定枚数ずつ棒状に包装した包装硬貨を収納するとともにこの収納された包装硬貨の投出を行う包装硬貨投出装置が知られている（例えば、特開２００１−１４８０４４号公報（ＪＰ２００１−１４８０４４Ａ）等参照）。特開２００１−１４８０４４号公報に開示される包装硬貨投出装置において、筐体の内部に金種別の複数の包装硬貨収納カセットが上下方向に複数配設されており、各々の包装硬貨収納カセットは筐体の内部に装着されたときに包装硬貨の投出方向に向かって斜め下方に傾斜する傾斜状態となる。【０００３】
また、特開２００１−１４８０４４号公報に開示される包装硬貨投出装置には、投出ユニットが筐体の内部で各包装硬貨収納カセットの先端部分に沿って移動自在に設けられている。投出ユニットには投出レバーが設けられており、この投出レバーは、当該投出レバーの軸を中心として回転することにより各包装硬貨収納カセット内における先端部分にある包装硬貨の投出を行うようになっている。投出レバーにより各包装硬貨収納カセットから投出された包装硬貨は投出ユニットの包装硬貨受入部に受け入れられる。そして、操作者は、投出ユニットの包装硬貨受入部に受け入れられた包装硬貨を手で取り出すことができるようになっている。
【発明の開示】
【発明が解決しようとする課題】
【０００４】
特開２００１−１４８０４４号公報に開示される包装硬貨投出装置は、主に日本国の硬貨を取り扱うようになっている。ここで、日本国の様々な金種の硬貨において、最も大きな硬貨と最も小さな硬貨の直径の差は約６．５ｍｍとなっており、この直径の差は比較的小さいので、包装硬貨収納カセットの先端部分と投出ユニットの投出レバーの軸との間の距離が一定でも投出レバーにより包装硬貨収納カセットの先端部分から包装硬貨を確実に投出することができる。【０００５】
しかしながら、日本国以外の国が発行する硬貨では、様々な金種の硬貨において、最も大きな硬貨と最も小さな硬貨の直径の差が大きい場合がある。例えば、ＥＵＲＯ硬貨では、最も大きな硬貨と最も小さな硬貨の直径の差が約９．５ｍｍとなっており、この直径の差は比較的大きいので、包装硬貨収納カセットの先端部分と投出ユニットの投出レバーの軸との間の距離を一定のままとして投出レバーにより包装硬貨の投出を行うと、一度に複数の包装硬貨が投出されてしまったり、投出レバーの先端が包装硬貨の包装紙を引っ掻くことによりこの包装紙が破れてしまったりするという問題が生じるおそれがある。【０００６】
また、日本国の硬貨の金種は６種類なので、６種類のタイプの包装硬貨収納カセットを準備すればよいが、日本国以外の国が発行する硬貨を取り扱う場合には、例えばＥＵＲＯ硬貨の金種は８種類あり、より多くのタイプの包装硬貨収納カセットを準備しなければならないという問題がある。また、その他の国の硬貨を更に取り扱う場合には、包装硬貨収納カセットの種類は更に多くなってしまい、コスト面や管理面において様々な問題が生じてしまうという問題がある。【０００７】
本発明は、このような点を考慮してなされたものであり、各々の包装硬貨収納カセットに収納されるべき包装硬貨の金種に基づいて包装硬貨収納カセットと投出ユニットの投出部材との間の間隔を調整することにより、投出部材により包装硬貨収納カセットから包装硬貨の投出を行う際に、一度に複数の包装硬貨が投出されてしまったり、包装硬貨の包装紙が破れてしまったりすることを抑制することができる包装硬貨投出装置を提供することを目的とする。【０００８】
また、本発明の他の目的は、包装硬貨収納カセットにおける包装硬貨収納領域の大きさを当該包装硬貨収納カセットに収納されるべき包装硬貨の金種に基づいて調整することができ、このため包装硬貨の各金種に対応する複数のタイプの包装硬貨収納カセットを準備する必要のないような包装硬貨投出装置を提供することにある。【０００９】
本発明の包装硬貨投出装置は、包装硬貨の投出を行う包装硬貨投出装置であって、筐体と、前記筐体に対して着脱自在となっており、複数の包装硬貨を一列に収納するための包装硬貨収納カセットであって、前記包装硬貨収納カセットは複数設けられており、各々の包装硬貨収納カセットは前記筐体の内部に装着されたときに包装硬貨の投出方向に向かって斜め下方に傾斜する傾斜状態となるような包装硬貨収納カセットと、前記筐体の内部において前記各包装硬貨収納カセットの先端部分に沿って移動自在となっている投出ユニットであって、前記各包装硬貨収納カセット内における先端部分にある包装硬貨の投出を行う投出部材を有する投出ユニットと、前記各包装硬貨収納カセットと前記投出ユニットの前記投出部材との間の間隔を調整するための調整部と、を備えたことを特徴とする。【００１０】
このような包装硬貨投出装置によれば、各々の包装硬貨収納カセットに収納されるべき包装硬貨の金種に基づいて包装硬貨収納カセットと投出ユニットの投出部材との間の間隔を包装硬貨の金種毎に所望の大きさに調整することができる。このため、金種によって直径が大きく異なるような包装硬貨を包装硬貨投出装置の各包装硬貨収納カセットに収納する場合であっても、投出部材により各々の包装硬貨収納カセットから包装硬貨の投出を行う際に、一度に複数の包装硬貨が投出されてしまったり、包装硬貨の包装紙が破れてしまったりすることを抑制することができる。【００１１】
本発明の包装硬貨投出装置においては、前記投出部材は、軸を中心として回転することにより前記各包装硬貨収納カセット内における先端部分にある包装硬貨の投出を行うようになっており、前記調整部は、前記各包装硬貨収納カセットの先端部分と前記投出ユニットの前記投出部材の軸との間の間隔を調整するようになっていることが好ましい。【００１２】
また、前記投出ユニットは、前記投出部材により前記各包装硬貨収納カセットから投出された包装硬貨を受け入れる包装硬貨受入部を有することが好ましい。【００１３】
本発明の包装硬貨投出装置においては、前記調整部は、前記各包装硬貨収納カセットに金種別に設けられたストッパであることが好ましい。【００１４】
この場合、前記各ストッパは、対応する前記包装硬貨収納カセットに収納されるべき包装硬貨の金種によってその大きさが異なるようになっていることがより好ましい。【００１５】
本発明の包装硬貨投出装置においては、前記筐体には、前記包装硬貨収納カセットが載置される載置台と、前記載置台に載置された前記包装硬貨収納カセットの先端部分の位置決めを行う位置決め部材とを有する包装硬貨収納カセット支持部が各々の包装硬貨収納カセットに対応して複数設けられており、前記各包装硬貨収納カセットには調整穴が設けられており、前記調整部は、前記各包装硬貨収納カセットの前記調整穴に取り付けられるとともに前記各包装硬貨収納カセット支持部の前記位置決め部材に当接するストッパであり、前記調整穴に対する前記ストッパの取り付け位置を調整することにより、前記各包装硬貨収納カセットと前記投出ユニットの前記投出部材との間の間隔を調整するようになっていることが好ましい。【００１６】
この場合、前記調整穴は、前記包装硬貨収納カセットにおける包装硬貨の投出方向に沿って延びる長穴であることが好ましい。【００１７】
あるいは、前記調整穴は、前記包装硬貨収納カセットにおける包装硬貨の投出方向に沿って複数設けられていてもよい。【００１８】
本発明の包装硬貨投出装置においては、前記筐体には、前記包装硬貨収納カセットが載置される載置台と、前記載置台に載置された前記包装硬貨収納カセットの先端部分の位置決めを行う位置決め部材とを有する包装硬貨収納カセット支持部が各々の包装硬貨収納カセットに対応して複数設けられるとともに、前記各包装硬貨収納カセット支持部を移動させる包装硬貨収納カセット支持部位置調整部が設けられており、前記包装硬貨収納カセット支持部位置調整部は、前記各包装硬貨収納カセットに収納されるべき包装硬貨の金種に基づいて前記各包装硬貨収納カセット支持部の位置を調整することにより、前記各包装硬貨収納カセットと前記投出ユニットの前記投出部材との間の間隔を調整するようになっていることが好ましい。【００１９】
本発明の包装硬貨投出装置においては、前記投出ユニットには、当該投出ユニットの本体部分に対して前記投出部材を移動させる投出部材位置調整部が設けられており、前記投出部材位置調整部は、前記各包装硬貨収納カセットに収納されるべき包装硬貨の金種に基づいて前記本体部分に対する前記投出部材の位置を前記包装硬貨収納カセット毎に調整することにより、前記各包装硬貨収納カセットと前記投出ユニットの前記投出部材との間の間隔を調整するようになっていることが好ましい。【００２０】
上述のような包装硬貨投出装置においては、前記包装硬貨投出装置には上位装置が通信接続されており、前記包装硬貨収納カセット支持部位置調整部は、前記上位装置から送られた、前記各包装硬貨収納カセットに収納されるべき包装硬貨の金種の情報に基づいて、前記各包装硬貨収納カセット支持部の位置を調整することが好ましい。【００２１】
あるいは、前記包装硬貨投出装置には上位装置が通信接続されており、前記投出部材位置調整部は、前記上位装置から送られた、前記各包装硬貨収納カセットに収納されるべき包装硬貨の金種の情報に基づいて、前記投出ユニットの本体部分に対する前記投出部材の位置を前記包装硬貨収納カセット毎に調整することが好ましい。【００２２】
あるいは、前記包装硬貨投出装置には外部から情報を入力するための操作部が設けられており、前記包装硬貨収納カセット支持部位置調整部は、前記操作部により外部から入力された、前記各包装硬貨収納カセットに収納されるべき包装硬貨の金種の情報に基づいて、前記各包装硬貨収納カセット支持部の位置を調整することが好ましい。【００２３】
あるいは、前記包装硬貨投出装置には外部から情報を入力するための操作部が設けられており、前記投出部材位置調整部は、前記操作部により外部から入力された、前記各包装硬貨収納カセットに収納されるべき包装硬貨の金種の情報に基づいて、前記投出ユニットの本体部分に対する前記投出部材の位置を前記包装硬貨収納カセット毎に調整することが好ましい。【００２４】
本発明の包装硬貨投出装置においては、前記各包装硬貨収納カセットは、複数の包装硬貨を一列に収納する包装硬貨収納領域を内部に有しており、前記包装硬貨収納領域は、前記包装硬貨収納カセットに収納されるべき包装硬貨の金種に基づいてその大きさが調整可能になっていることが好ましい。【００２５】
この場合、前記各包装硬貨収納カセットには、前記包装硬貨収納領域の幅の大きさを規制する左右一対の幅規制板が設けられており、前記左右一対の幅規制板は、前記包装硬貨収納領域の幅方向に沿ってその位置を調整することができるようになっていることがより好ましい。【００２６】
また、前記各包装硬貨収納カセットには、前記包装硬貨収納領域の高さを規制する高さ規制板が設けられており、前記高さ規制板は、前記包装硬貨収納領域の高さ方向に沿ってその位置を調整することができるようになっていてもよい。【００２７】
本発明の包装硬貨投出装置は、包装硬貨の投出を行う包装硬貨投出装置であって、筐体と、前記筐体に対して着脱自在となっており、複数の包装硬貨を一列に収納するための包装硬貨収納カセットであって、前記包装硬貨収納カセットは複数設けられており、各々の包装硬貨収納カセットは前記筐体の内部に装着されたときに包装硬貨の投出方向に向かって斜め下方に傾斜する傾斜状態となるような包装硬貨収納カセットと、前記筐体の内部において前記各包装硬貨収納カセットの先端部分に沿って移動自在となっている投出ユニットであって、前記各包装硬貨収納カセット内における先端部分にある包装硬貨の投出を行う投出部材を有する投出ユニットと、を備え、前記各包装硬貨収納カセットは、複数の包装硬貨を一列に収納する包装硬貨収納領域を内部に有しており、前記包装硬貨収納領域は、前記包装硬貨収納カセットに収納されるべき包装硬貨の金種に基づいてその大きさが調整可能になっていることを特徴とする。【００２８】
このような包装硬貨投出装置によれば、包装硬貨収納カセットにおける、複数の包装硬貨が一列に収納される包装硬貨収納領域の大きさを、当該包装硬貨収納カセットに収納されるべき包装硬貨の金種に基づいて調整することができる。このため包装硬貨の各金種に対応する複数のタイプの包装硬貨収納カセットを準備する必要がなくなり、包装硬貨投出装置の製造コストを安くすることができるとともに、管理面での負担を少なくすることができる。【００２９】
上述のような包装硬貨投出装置においては、前記各包装硬貨収納カセットには、前記包装硬貨収納領域の幅の大きさを規制する左右一対の幅規制板が設けられており、前記左右一対の幅規制板は、前記包装硬貨収納領域の幅方向に沿ってその位置を調整することができるようになっていることが好ましい。【００３０】
また、前記各包装硬貨収納カセットには、前記包装硬貨収納領域の高さを規制する高さ規制板が設けられており、前記高さ規制板は、前記包装硬貨収納領域の高さ方向に沿ってその位置を調整することができるようになっていてもよい。
【図面の簡単な説明】
【００３１】
【図１】本発明の一の実施の形態における包装硬貨投出装置の全体的な構成を示す構成図である。
【図２】図１に示す包装硬貨投出装置の包装硬貨収納カセットの構成の詳細を示す斜視図である。
【図３】図１に示す包装硬貨投出装置の包装硬貨収納カセットの他の構成の詳細を示す斜視図である。
【図４】図１に示す包装硬貨投出装置の制御ブロック図である。
【図５】本発明の一の実施の形態による包装硬貨投出装置の他の構成を示す制御ブロック図である。
【図６】本発明の一の実施の形態による包装硬貨投出装置の更に他の構成を示す制御ブロック図である。
【図７】図６に示す包装硬貨投出装置における投出レバー位置調整部の各構成要素を示す構成図である。
【図８】本発明の一の実施の形態による包装硬貨投出装置の包装硬貨収納カセットの他の構成を示す斜視図である。
【図９】図８に示す包装硬貨収納カセットの内部の構成を示す斜視図である。
【図１０】図８に示す包装硬貨収納カセットの縦断面図である。
【発明を実施するための最良の形態】
【００３２】
以下、図面を参照して本発明の一の実施の形態について説明する。ここで、図１乃至図４は、本実施の形態に係る包装硬貨投出装置を示す図である。このうち、図１は、本実施の形態における包装硬貨投出装置の全体的な構成を示す構成図であり、図２は、図１に示す包装硬貨投出装置の包装硬貨収納カセットの構成の詳細を示す斜視図である。また、図３は、図１に示す包装硬貨投出装置の包装硬貨収納カセットの他の構成の詳細を示す斜視図であり、図４は、図１に示す包装硬貨投出装置の制御ブロック図である。【００３３】
図１に示すように、包装硬貨投出装置１０は、略直方体形状の筐体２０と、筐体２０に対して着脱自在となっており、複数の包装硬貨を一列に収納するための包装硬貨収納カセット２５と、筐体２０の内部に移動自在に設けられた投出ユニット２２とを備えている。ここで、包装硬貨収納カセット２５は複数設けられており、複数の包装硬貨収納カセット２５は筐体２０の内部において上下方向に配列されている。また、各々の包装硬貨収納カセット２５は、筐体２０の内部に装着されたときに包装硬貨の投出方向（図１における右下方向）に向かって斜め下方に傾斜する傾斜状態となるようになっている。また、投出ユニット２２は、筐体２０の内部において各包装硬貨収納カセット２５の先端部分（図１における右端部分）に沿って略鉛直方向に移動自在となっている。【００３４】
以下、包装硬貨投出装置１０の各構成要素の詳細について説明する。【００３５】
図１に示すように、筐体２０の内部には、各包装硬貨収納カセット２５を下方から支持する包装硬貨収納カセット支持部２４が各々の包装硬貨収納カセット２５に対応して複数設けられている。各包装硬貨収納カセット支持部２４は、包装硬貨収納カセット２５が載置される載置台２４ａと、載置台２４ａに載置された包装硬貨収納カセット２５の先端部分の位置決めを行う位置決め部材２７とを有している。載置台２４ａは、その断面が凹形状となっており、この凹形状の窪んだ部分に包装硬貨収納カセット２５が嵌め込まれるようになっている。ここで、包装硬貨収納カセット２５の先端部分（図１における右端部分）にはストッパ２６が設けられており、このストッパ２６が包装硬貨収納カセット支持部２４の位置決め部材２７に当接することにより包装硬貨収納カセット２５の装着位置が定められるようになっている。【００３６】
包装硬貨収納カセット２５の構成の詳細について図２を用いて説明する。図２は、包装硬貨収納カセット２５の構成の詳細を示す斜視図である。【００３７】
図２に示すように、包装硬貨収納カセット２５は、略直方体形状の枠体２５ａを有しており、この枠体２５ａの内部には、複数の包装硬貨Ｃを一列に収納する包装硬貨収納領域２５ｂが設けられている。ここで、包装硬貨収納領域２５ｂの後方部の所定の範囲の上面は開放されており、この開放された部分に包装硬貨装填用開口部２８が形成されている。また、包装硬貨収納領域２５ｂの先端部の上面は少なくとも１本の包装硬貨Ｃが脱出し得る大きさに開口された取出口２９となっている。この取出口２９の前端側の立壁３０により包装硬貨Ｃの下降限が定められている。また、立壁３０には左右一対のスリット３１が形成されており、各スリット３１は包装硬貨収納カセット２５の底板の一部まで延びている。このスリット３１を投出ユニット２２の投出レバー５０（後述）が通過するようになっている。【００３８】
また、包装硬貨収納カセット２５の後端部には上面板３２が延設されており、この上面板３２の末端は下方に屈曲している。この屈曲した部分は、包装硬貨収納カセット２５の装脱時の手掛け３３となっている。【００３９】
また、包装硬貨収納カセット２５の枠体２５ａの側壁には、調整穴２５ｃが形成されている。この調整穴２５ｃは、包装硬貨収納カセット２５における包装硬貨の投出方向に沿って延びる長穴となっている。ストッパ２６は、この調整穴２５ｃにおける任意の箇所に取り付けられるようになっている。【００４０】
図１に示すように、包装硬貨投出装置１０の後部には、各包装硬貨収納カセット２５の装脱時に開閉する扉３５が設けられている。この扉３５の内面側には、各包装硬貨収納カセット２５の配設範囲をカバーし得る大きさの押圧板３６がパンダグラフ３７を介して取り付けられている。このパンダグラフ３７は、図示しないバネにより拡張方向に付勢されている。扉３５は、筐体２０の後面に設けられた扉２０ａを開けることにより開閉操作することができるようになっている。【００４１】
図１に示すように、複数のセンサ２３が各包装硬貨収納カセット支持部２４に対応して設けられている。各々のセンサ２３は、各包装硬貨収納カセット２５が筐体２０の内部に装着され、対応する包装硬貨収納カセット支持部２４により支持されたときに、この包装硬貨収納カセット２５の先端部分に包装硬貨が存在するか否かを検出するようになっている。【００４２】
投出ユニット２２は、前述のように、筐体２０の内部において各包装硬貨収納カセット２５の先端部分に沿って昇降自在に設けられている。投出ユニット２２は、略直方体形状の機枠３９と、各包装硬貨収納カセット２５内における先端部分にある包装硬貨の投出を行う投出レバー５０と、機枠３９の内部に設けられ、投出レバー５０により各包装硬貨収納カセット２５から投出された包装硬貨を受け入れる包装硬貨受入部６５とを有している。【００４３】
図１に示すように、筐体２０の内部における上部および下部にはそれぞれプーリ４４、４５が配設されており、これらのプーリ４４、４５にはベルト４６が巻かれている。このベルト４６は、投出ユニット２２の機枠３９に取り付けられている。また、筐体２０の下部にはプーリ４５を回転駆動させるモータ４８が設けられており、プーリ４５がモータ４８により回転させられることにより投出ユニット２２の昇降が行われるようになっている。また、投出ユニット２２を各包装硬貨収納カセット２５に対応した位置に停止させるための位置決めセンサ（図示せず）が、筐体１０の内部における各包装硬貨収納カセット２５の先端部分の近傍の位置にそれぞれ設けられている。【００４４】
投出レバー５０は、投出ユニット２２において各包装硬貨収納カセット２５に対向する箇所に左右一対で２つ設けられている。各々の投出レバー５０は、軸５２を中心として図１における時計回りの方向に同期して回転するようになっている。各々の投出レバー５０が軸５２を中心として回転する際に、各投出レバー５０は、包装硬貨収納カセット２５の立壁３０等に形成された左右一対のスリット３１をそれぞれ通過するようになっている。そして、各投出レバー５０が軸５２を中心として１８０°回転すると、包装硬貨収納カセット２５の先端部分に収納された包装硬貨が投出レバー５０により下方から持ち上げられ、この包装硬貨は取出口２９を介して包装硬貨収納カセット２５から投出され、包装硬貨収納カセット２５から投出された包装硬貨は引き続き投出レバー５０により投出ユニット２２の機体３９の内部にある包装硬貨受入部６５に送られ、この包装硬貨受入部６５に受け入れられるようになっている。【００４５】
投出ユニット２２の上方における筐体２０の前部上面には、包装硬貨取出口６７が形成されている。この包装硬貨取出口６７は、通常はシャッター６８により閉止されている。一方、投出ユニット２２が図１の二点鎖線に示す最上昇位置（待機位置）に移動したときにシャッター６８が開き、操作者は投出ユニット２２の包装硬貨受入部６５内から包装硬貨を取り出すことができるようになっている。【００４６】
また、本実施の形態の包装硬貨投出装置１０には、各々の包装硬貨収納カセット２５の先端部分（より具体的には、前端側の立壁３０）と、投出ユニット２２の投出レバー５０の軸５２との間の間隔を調整するための調整部が設けられている。具体的には、このような調整部は、包装硬貨収納カセット２５の調整穴２５ｃに取り付けられるとともに包装硬貨収納カセット支持部２４の位置決め部材２７に当接するストッパ２６からなる。そして、図２に示すように長穴からなる調整穴２５ｃに対するストッパ２６の取り付け位置を調整することにより、各包装硬貨収納カセット２５の立壁３０と、投出ユニット２２の投出レバー５０の軸５２との間の間隔を調整することができるようになっている。具体的には、包装硬貨収納カセット２５の調整穴２５ｃに対してストッパ２６を取り付ける際に、包装硬貨の金種毎に異なる位置にストッパ２６を取り付けるようになっている。【００４７】
より詳細には、包装硬貨収納カセット２５に収納されるべき包装硬貨の直径が大きい場合には、包装硬貨収納カセット２５の立壁３０と、投出ユニット２２の投出レバー５０の軸５２との間の間隔を小さくする必要があるので、ストッパ２６を調整穴２５ｃにおける後方側の位置（立壁３０から遠い側の位置）に取り付けることとなる。一方、包装硬貨収納カセット２５に収納されるべき包装硬貨の直径が小さい場合には、包装硬貨収納カセット２５の立壁３０と、投出ユニット２２の投出レバー５０の軸５２との間の間隔を大きくする必要があるので、ストッパ２６を調整穴２５ｃにおける前方側の位置（立壁３０に近い側の位置）に取り付けることとなる。このように、包装硬貨収納カセット２５に収納されるべき包装硬貨の直径に基づいてストッパ２６の取り付け位置を変更することにより、包装硬貨収納カセット２５の先端部分に収納された包装硬貨は１個ずつ投出レバー５０により投出され（複数の包装硬貨が同時に投出レバー５０により投出されることなく）、包装硬貨受入部６５に送られることとなる。また、この際に、投出される包装硬貨の隣にある他の包装硬貨に投出レバー５０の先端が引っ掛かることがなくなるため、この包装硬貨の包装紙が投出レバー５０により破れることはない。【００４８】
なお、包装硬貨収納カセット２５の枠体２５ａの側壁に形成される、ストッパ２６の取り付けを行うための調整穴は、図２に示すような長穴に限定されることはない。他の調整穴としては、例えば図３に示すように、包装硬貨収納カセット２５における包装硬貨の投出方向に沿って調整穴２５ｄを複数設けてもよい。図３は、図１に示す包装硬貨投出装置１０の包装硬貨収納カセット２５の他の構成の詳細を示す斜視図である。図３に示すような態様において、各調整穴２５ｄの位置は、包装硬貨の各々の金種毎に予め設定されている。すなわち、調整穴２５ｄは包装硬貨の金種の数またはそれ以下の数だけ設けられており、各調整穴２５ｄは包装硬貨の各金種に対応するようになっている。そして、包装硬貨収納カセット２５に収納されるべき金種に対応する調整穴２５ｄにストッパ２６を取り付けることにより、包装硬貨収納カセット２５の立壁３０と、投出ユニット２２の投出レバー５０の軸５２との間の間隔を、この包装硬貨収納カセット２５に収納される包装硬貨にとって最適なものとすることができるようになる。【００４９】
図４に示すように、包装硬貨投出装置１０の筐体２０の内部には制御部１６が設けられている。また、図１に示すように、包装硬貨投出装置１０の筐体２０の上面には表示操作部１８が設けられている。この表示操作部１８は、各包装硬貨収納カセット２５に収納されている包装硬貨の金種毎の本数や金額、あるいは包装硬貨投出装置１０における包装硬貨の投出状況を表示したり、操作者により操作されることにより制御部１６に対して様々な指令を送ったりするようになっている。【００５０】
図４に示すように、制御部１６には、モータ４８、投出ユニット２２の投出レバー５０を回転駆動するためのモータ５４、シャッター６８、表示操作部１８、センサ２３等が接続されている。また、制御部１６にはインターフェース１７が接続されており、このインターフェース１７を介して上位装置と信号の送受信を行うことができるようになっている。制御部１６は、センサ２３から、各々の包装硬貨収納カセット２５の先端部分に包装硬貨が存在するか否かの検出情報を受け取るようになっている。また、制御部１６は、表示操作部１８や上位装置から指令が送られるようになっており、この指令に基づいてモータ４８、モータ５４、シャッター６８等を制御したり、表示操作部１８に対して各包装硬貨収納カセット２５に収納されている包装硬貨の金種毎の本数や金額等を表示させたりするようになっている。【００５１】
次に、このような構成からなる包装硬貨投出装置１０の動作について説明する。以下に示す包装硬貨投出装置１０の動作は、制御部１６が包装硬貨投出装置１０の各構成要素を制御することにより行われる。【００５２】
まず、包装硬貨が一列に収納された包装硬貨収納カセット２５を筐体２０の内部に装着する。より具体的には、包装硬貨収納カセット２５を、対応する金種の包装硬貨収納カセット支持部２４の載置台２４ａに乗せる。包装硬貨収納カセット２５は、筐体２０の内部に装着されたときに包装硬貨の投出方向に向かって斜め下方に（図１における右下方向に）傾斜する傾斜状態となり、包装硬貨収納カセット２５に収納された包装硬貨は自重により包装硬貨収納カセット２５の先端部分（投出ユニット２２に最も近い側の箇所）に移動する。【００５３】
操作者が表示操作部１８を操作することにより、あるいは上位装置からインターフェース１７を介して制御部１６に信号が送られることにより、制御部１６に対して包装硬貨の出金の指令がなされ、センサ２３により、投出すべき金種の包装硬貨が収納された包装硬貨収納カセット２５の先端部分に包装硬貨が存在することが検出されると、制御部１６はモータ４８を制御することにより、当該包装硬貨収納カセット２５に対向するような所定の位置に投出ユニット２２を移動させる。そして、投出ユニット２２が所定の位置に到達したら、モータ５４が軸５２を中心として投出レバー５０を図１の時計回りの方向に回転させる。このことにより、包装硬貨収納カセット２５に収納された複数の包装硬貨のうち、包装硬貨収納カセット２５の先端部分にある１つの包装硬貨が投出レバー５０により上方に持ち上げられ、この包装硬貨は包装硬貨収納カセット２５の取出口２９を介して包装硬貨収納カセット２５から投出される。投出レバー５０により包装硬貨収納カセット２５から投出された包装硬貨は、投出ユニット２２の包装硬貨受入部６５に受け入れられる。【００５４】
上述のような、投出レバー５０による包装硬貨収納カセット２５からの包装硬貨の投出を、制御部１６に対して指令された各々の金種について所定の本数分だけ行うことにより、投出ユニット２２の包装硬貨受入部６５に、包装硬貨投出装置１０から投出すべき金額（または金種毎の本数）の包装硬貨が受け入れられることとなる。その後、モータ４８により投出ユニット２２が図１の二点鎖線に示す最上昇位置（待機位置）に移動させられ、シャッター６８が開かれる。このことにより、操作者は投出ユニット２２の包装硬貨受入部６５内から包装硬貨を取り出すことができるようになる。【００５５】
このようにして、包装硬貨投出装置１０における一連の動作が終了する。【００５６】
以上のように本実施の形態の包装硬貨投出装置１０によれば、各包装硬貨収納カセット２５と、投出ユニット２２の投出レバー５０との間の間隔を調整するための調整部が設けられているので、各々の包装硬貨収納カセット２５に収納されるべき包装硬貨の金種に基づいて包装硬貨収納カセット２５と投出ユニット２２の投出レバー５０との間の間隔を包装硬貨の金種毎に所望の大きさに調整することができる。このため、金種によって直径が大きく異なるような包装硬貨を包装硬貨投出装置１０の各包装硬貨収納カセット２５に収納する場合であっても、投出レバー５０により各々の包装硬貨収納カセット２５から包装硬貨の投出を行う際に、一度に複数の包装硬貨が投出されてしまったり、包装硬貨の包装紙が破れてしまったりすることを抑制することができる。【００５７】
より具体的には、投出レバー５０は、軸５２を中心として回転することにより各包装硬貨収納カセット２５内における先端部分にある包装硬貨の投出を行うようになっている。そして、調整部は、各包装硬貨収納カセット２５の立壁３０（先端部分）と、投出ユニット２２の投出レバー５０の軸５２との間の間隔を調整するようになっている。【００５８】
本実施の形態の包装硬貨投出装置１０においては、調整部は、各包装硬貨収納カセット２５に金種別に設けられたストッパ２６となっている。より具体的には、各々の包装硬貨収納カセット２５に対応して設けられた包装硬貨収納カセット支持部２４には、載置台２４ａに載置された包装硬貨収納カセット２５の位置決めを行う位置決め部材２７が設けられており、ストッパ２６は、包装硬貨収納カセット２５の調整穴２５ｃに取り付けられるとともに包装硬貨収納カセット支持部２４の位置決め部材２７に当接するようになっている。そして、調整穴２５ｃに対するストッパ２６の取り付け位置を調整することにより、包装硬貨の金種毎に包装硬貨収納カセット支持部２４の載置台２４ａに対する包装硬貨収納カセット２５の位置が変更されることとなるので、包装硬貨収納カセット２５と、投出ユニット２２の投出レバー５０との間の間隔を調整することができる。【００５９】
なお、本実施の形態による包装硬貨投出装置１０は、上記の態様に限定されるものではなく、様々の変更を加えることができる。【００６０】
例えば、包装硬貨収納カセット２５と、投出ユニット２２の投出レバー５０との間の間隔を調整する方法としては、上述のような、包装硬貨収納カセット２５に対するストッパ２６の取り付け位置を変更する方法に限定されることはない。他の方法としては、包装硬貨収納カセット２５に対するストッパ２６の取り付け位置は当該包装硬貨収納カセット２５に収納されるべき包装硬貨の金種にかかわらず同じであるが、包装硬貨の金種毎にストッパ２６の大きさを変え、このことにより包装硬貨収納カセット支持部２４の載置台２４ａに対する包装硬貨収納カセット２５の位置を包装硬貨の金種毎に変えることにより、包装硬貨収納カセット２５と、投出ユニット２２の投出レバー５０との間の間隔を調整するようにしてもよい。【００６１】
また、包装硬貨収納カセット２５と、投出ユニット２２の投出レバー５０との間の間隔を調整するための調整部としては、各包装硬貨収納カセット２５に金種別に設けられたストッパ２６に限定されることはない。以下、他の構成の調整部について説明する。【００６２】
本実施の形態による包装硬貨投出装置の他の態様について図５を用いて説明する。図５は、本実施の形態による包装硬貨投出装置の他の構成を示す制御ブロック図である。【００６３】
図５に示す包装硬貨投出装置１０ａは、図１乃至図４に示す包装硬貨投出装置１０と比較して、包装硬貨収納カセット支持部位置調整部７０が追加的に設けられた点が異なるのみであり、他の構成は図１乃至図４に示す包装硬貨投出装置１０と実質的に同一となっている。より具体的には、図１乃至図４に示す包装硬貨投出装置１０では、各々の包装硬貨収納カセット支持部２４は筐体２０に対して位置固定となっていたが、図５に示す包装硬貨投出装置１０ａでは、包装硬貨収納カセット支持部位置調整部７０により、筐体２０に対して各々の包装硬貨収納カセット支持部２４を移動させることができるようになっている。【００６４】
より具体的に説明すると、図５に示す包装硬貨投出装置１０ａにおいて、各々の包装硬貨収納カセット支持部２４は、当該包装硬貨収納カセット支持部２４の延びる方向に移動自在となっている。そして、各包装硬貨収納カセット支持部２４は、包装硬貨収納カセット支持部位置調整部７０により移動させられるようになっている。【００６５】
ここで、各包装硬貨収納カセット２５から投出させる包装硬貨の金種の情報を操作者が表示操作部１８に入力することにより、あるいは、上位装置からインターフェース１７を介して制御部１６に対して各包装硬貨収納カセット２５から投出させる包装硬貨の金種の情報が送られることにより、制御部１６に対して各包装硬貨収納カセット２５から投出させるべき包装硬貨の金種の情報が入力される。そして、包装硬貨収納カセット支持部位置調整部７０は、制御部１６に対して入力された、各包装硬貨収納カセット２５から投出させるべき包装硬貨の金種の情報に基づいて、各々の包装硬貨収納カセット支持部２４を移動させることにより、筐体２０に対する各包装硬貨収納カセット支持部２４の位置を調整する。このことにより、包装硬貨収納カセット２５と、投出ユニット２２の投出レバー５０との間の間隔が包装硬貨の金種毎の所望の大きさに調整される。【００６６】
本実施の形態による包装硬貨投出装置の更に他の態様について図６および図７を用いて説明する。図６は、本実施の形態による包装硬貨投出装置の更に他の構成を示す制御ブロック図であり、図７は、図６に示す包装硬貨投出装置における投出レバー位置調整部の各構成要素を示す構成図である。【００６７】
図６および図７に示す包装硬貨投出装置１０ｂは、図１乃至図４に示す包装硬貨投出装置１０と比較して、投出ユニット２２に投出レバー位置調整部７２が追加的に設けられた点が異なるのみであり、他の構成は図１乃至図４に示す包装硬貨投出装置１０と実質的に同一となっている。より具体的には、図１乃至図４に示す包装硬貨投出装置１０では、投出ユニット２２において投出レバー５０が機体３９に対して位置固定となっていたが、図６に示す包装硬貨投出装置１０ｂでは、投出レバー位置調整部７２により、機体３９に対して投出レバー５０を移動させることができるようになっている。【００６８】
より具体的に説明すると、図６および図７に示す包装硬貨投出装置１０ｂにおいて、投出レバー５０は包装硬貨収納カセット２５に向かう方向に（図１の左右方向に）移動自在となっている。そして、この投出レバー５０は投出レバー位置調整部７２により移動させられるようになっている。【００６９】
投出レバー位置調整部７２の構成の詳細について図７を用いて説明する。なお、図７において、参考のため包装硬貨収納カセット２５を二点鎖線で示す。図７に示すように、投出レバー位置調整部７２は、投出レバー５０の軸５２に取り付けられたバネ部材７４と、投出レバー５０に当接するよう設けられたカム部材７６と、カム部材７６の軸７６ａを中心として当該カム部材７６を回転駆動させるモータ７８とを有している。より具体的には、バネ部材７４は、その一端が投出レバー５０の軸５２に取り付けられており、バネ部材７４の他端は投出ユニット２２の内部に設けられた壁部材７５に固定されている。そして、バネ部材７４は圧縮状態にあり、投出レバー５０を包装硬貨収納カセット２５に向かって（図７の左方に）押圧するようになっている。【００７０】
一方、図７に示すように、カム部材７６は投出レバー５０に当接することにより、包装硬貨収納カセット２５に向かう（図７の左方に向かう）投出レバー５０の移動を規制するようになっている。ここで、カム部材７６は軸７６ａを中心として回転するようになっている。また、カム部材７６における投出レバー５０と当接する面は段差状となっており、第１の接触面７６ｂ、第２の接触面７６ｃ、第３の接触面７６ｄの各々の接触面が選択的に投出レバー５０と当接するようになっている。ここで、各々の接触面７６ｂ、７６ｃ、７６ｄと軸７６ａとの間の距離は異なっており、第１の接触面７６ｂと軸７６ａとの間の距離が最も大きく、第３の接触面７６ｄと軸７６ａとの間の距離が最も小さくなっている。各々の接触面７６ｂ、７６ｃ、７６ｄは、包装硬貨の各々の金種に対応している。【００７１】
そして、モータ７８が軸７６ａを中心としてカム部材７６を回転させることにより、投出レバー５０に接触するカム部材７６の接触面が変わるようになっている。より具体的には、包装硬貨収納カセット２５と投出レバー５０とを接近させたい場合には、モータ７８がカム部材７６を回転させることにより第３の接触面７６ｄと投出レバー５０とを接触させるようにする。このことにより、投出レバー５０はバネ部材７４により図７の左方に押圧されるが、第３の接触面７６ｄと軸７６ａとの間の距離が最も小さくなっているため、包装硬貨収納カセット２５と投出レバー５０とが比較的接近する。一方、投出レバー５０を包装硬貨収納カセット２５から遠ざけたい場合には、モータ７８がカム部材７６を回転させることにより第１の接触面７６ｂと投出レバー５０とを接触させるようにする。このことにより、投出レバー５０はバネ部材７４により図７の左方に押圧されるが、第１の接触面７６ｂと軸７６ａとの間の距離が最も大きくなっているため、投出レバー５０は包装硬貨収納カセット２５から最も遠い箇所に位置される。【００７２】
ここで、各包装硬貨収納カセット２５から投出させる包装硬貨の金種の情報を操作者が表示操作部１８に入力することにより、あるいは、上位装置からインターフェース１７を介して制御部１６に対して各包装硬貨収納カセット２５から投出させる包装硬貨の金種の情報が送られることにより、制御部１６に対して各包装硬貨収納カセット２５から投出させるべき包装硬貨の金種の情報が入力される。そして、投出レバー位置調整部７２は、制御部１６に対して入力された、各包装硬貨収納カセット２５から投出させるべき包装硬貨の金種の情報に基づいて、機体３９に対して投出レバー５０を移動させる。より具体的には、モータ７８が軸７６ａを中心としてカム部材７６を回転させ、包装硬貨収納カセット２５から投出させるべき包装硬貨の金種に対応する接触面に投出レバー５０を接触させることにより、投出レバー５０が各々の金種に対応した所望の位置に移動させられる。このことにより、包装硬貨収納カセット２５と、投出ユニット２２の投出レバー５０との間の間隔が調整される。【００７３】
本実施の形態による包装硬貨投出装置の更に他の態様について図８乃至図１０を用いて説明する。図８は、本実施の形態による包装硬貨投出装置の包装硬貨収納カセットの他の構成を示す斜視図であり、図９は、図８に示す包装硬貨収納カセットの内部の構成を示す斜視図である。また、図１０は、図８に示す包装硬貨収納カセットの縦断面図である。なお、図８乃至図１０において、参照符号Ｃは包装硬貨を示している。【００７４】
図８乃至図１０に示す包装硬貨収納カセット８０は、複数の包装硬貨を一列に収納する包装硬貨収納領域８０ａを内部に有している。そして、この包装硬貨収納領域８０ａは、包装硬貨収納カセット８０に収納されるべき包装硬貨の金種に基づいてその大きさが調整可能となっている。【００７５】
具体的には、図９に示すように、包装硬貨収納カセット８０には、包装硬貨収納領域８０ａの幅の大きさを規制する左右一対の幅規制板８２が設けられている。包装硬貨は、左右一対の幅規制板８２の間に収納されるようになっている。【００７６】
ここで、左右一対の幅規制板８２は、それぞれ、包装硬貨収納領域８０ａの幅方向に沿ってその位置を調整することができるようになっている。より詳細には、包装硬貨収納カセット８０の底板には、包装硬貨収納領域８０ａの幅方向に沿って複数の調整穴８０ｂが設けられており、複数の調整穴８０ｂのうち包装硬貨の長手方向長さに適合する調整穴８０ｂに各幅規制板８２が取り付けられるようになっている。ここで、各々の調整穴８０ｂは、包装硬貨の各金種に対応するよう設けられている。また、複数の調整穴を設ける代わりに、包装硬貨収納領域８０ａの幅方向に延びる長穴を設け、この長穴の任意の箇所に幅規制板８２を取り付けることができるようになっていてもよい。また、各幅規制板８２は、図２に示すような包装硬貨収納カセットのスリット３１に対して左右対称となるようその位置を調整することができるようになっていてもよい。この場合には、一対の幅規制板８２の間にある包装硬貨に対する投出レバー５０の引っ掛かり位置を、当該包装硬貨の中央部分の箇所とすることができるので、投出レバー５０により安定して包装硬貨の投出を行うことができる。【００７７】
また、図８に示すように、包装硬貨収納カセット８０には、包装硬貨収納領域８０ａの高さを規制する高さ規制板８４が設けられている。この高さ規制板８４は厚さの異なるものが複数種類用意されており、複数の高さ規制板８４のうち、包装硬貨の直径に適合する高さ規制板８４を選ぶことにより、包装硬貨収納領域８０ａの高さ方向に沿って高さ規制板８４の位置を調整することができるようになっている。【００７８】
また、厚さの異なる複数の種類の高さ規制板８４を用意する代わりに、図１０に示すように、包装硬貨収納カセット８０を底部部材８５および蓋部材８６から構成させるようにし、底部部材８５と蓋部材８６との間に包装硬貨収納領域８０ａを形成するようにしてもよい。この場合、底部部材８５および蓋部材８６は結合部材８８により結合されている。この結合部材８８は、底部部材８５および蓋部材８６の側壁にそれぞれ設けられた調整穴に挿入されるようになっている。ここで、底部部材８５または蓋部材８６に設けられる調整穴は包装硬貨収納カセット８０の高さ方向（図１０の上下方向）に沿って複数形成されており、結合部材８８が挿入されるべき調整穴を選択することにより、底部部材８５と蓋部材８６との間の距離を調整することができるようになっている。なお、各々の調整穴は、包装硬貨の各金種に対応するよう設けられている。また、複数の調整穴を底部部材８５または蓋部材８６の側壁に設ける代わりに、包装硬貨収納カセット８０の高さ方向（図１０の上下方向）に沿って延びる長穴を底部部材８５または蓋部材８６の側壁に設け、この長穴の任意の箇所に結合部材８８を取り付けることができるようになっていてもよい。このようにして、包装硬貨収納領域８０ａの高さが規制されることとなる。【００７９】
以上のように図８乃至図１０に示す包装硬貨収納カセット８０によれば、包装硬貨収納領域８０ａの幅の大きさが左右一対の幅規制板８２により規制されるとともに、包装硬貨収納領域８０ａの高さが高さ規制板８４等により規制されるようになっている。このため、包装硬貨収納領域８０ａを、包装硬貨収納カセット８０に収納されるべき包装硬貨の金種に基づいてその大きさを調整することができる。このため包装硬貨の各金種に対応する複数のタイプの包装硬貨収納カセット８０を準備する必要がなくなり、包装硬貨投出装置１０の製造コストを安くすることができるとともに、管理面での負担を少なくすることができる。【００８０】
また、図２に示す包装硬貨収納カセット２５では、包装硬貨収納領域２５ｂの先端部分の上面は少なくとも１本の包装硬貨Ｃが脱出し得る大きさに開口された取出口２９となっているが、図８に示す包装硬貨収納カセット８０では、この取出口には開閉蓋８９が設けられている。この開閉蓋８９は通常は取出口を塞いだ状態でロックされており、包装硬貨収納カセット８０が包装硬貨投出装置１０の筐体２０の内部に装着されて包装硬貨収納カセット支持部２４の載置台２４ａに載置された場合にのみ図示しないロック解除機構により開閉蓋８９が開くようになっている。【００８１】
また、図８に示す包装硬貨収納カセット８０において、高さ規制板８４は包装硬貨収納領域８０ａを塞ぐ蓋部材として機能している。この高さ規制板８４の後部は留め部材により包装硬貨収納カセット８０のベース部分に固定されている。この留め部材は、例えばインシュロックや様々な種類の錠から構成されており、通常は高さ規制板８４を包装硬貨収納カセット８０のベース部分から取り外してこの包装硬貨収納カセット８０の内部から包装硬貨を取り出すことができないようになっている。インシュロック等には所定の識別番号が付されており、この識別番号が担当者コードと関連付けられている。もし異なる識別番号が見つかった場合には、何か不正があったと判断することができる。【００８２】
このように、図８に示す包装硬貨収納カセット８０では、包装硬貨収納カセット８０の取出口を塞ぐ開閉蓋８９が設けられていたり、高さ規制板８４が包装硬貨収納領域８０ａを塞ぐ蓋部材として機能していたりしている。このため、包装硬貨が内部に収納された状態で、包装硬貨収納カセット８０の持ち運びを安全に行うことができるようになる。
【図１】
2010035332.tif 000003
【図２】
2010035332.tif 000004
【図３】
2010035332.tif 000005
【図４】
2010035332.tif 000006
【図５】
2010035332.tif 000007
【図６】
2010035332.tif 000008
【図７】
2010035332.tif 000009
【図８】
2010035332.tif 000010
【図９】
2010035332.tif 000011
【図１０】
2010035332.tif 000012
【国際調査報告】
2010035332.tif 000013
2010035332.tif 000014
2010035332.tif 000015
2010035332.tif 000016